(57)【特許請求の範囲】
【請求項１】
飲料抽出機（１）の加熱された高温の湯をチヤンバー（９）内のコーヒー粉、紅茶葉等注いで、チヤンバー下方から抽出された暖かいコーヒー、紅茶等の抽出液を貯える保温容器（１１）を設け、保温容器に抽出液を貯蔵する内容器（１４）と、内容器（１４）内の抽出液を保温する保温ヒータ（１５）と、内容器（１４）底面の下端細口筒（２２）と連通した電動ポンプ（２７）、内容器（１４）外側壁に沿って上昇した揚水パイプ（２８）、電動ポンプ（２７）と揚水パイプ（２８）とを連通したジョイントパイプ（２３）、揚水パイプ（２８）と連通し抽出液を外部へ吐出する吐出パイプ（３０）を備えた吐出機構（２０）と、内容器（１４）内の抽出液量を表示し、吐出機構と別個で内容器と連通する液量表示機構（２１）と、吐出機構（２０）を駆動する駆動手段と、保温ヒータ（１５）、駆動手段を操作する電気回路機構とを具備し、吐出機構（２０）のジョイントパイプ（２３）、揚水パイプ（２８）を断熱材（３１）にて覆うと共に揚水パイプ（２８）を銀蒸着して内容器（１４）外側壁に近接してなることを特徴とした飲料抽出機用の保温容器。
【発明の詳細な説明】
【０００１】
【産業上の利用分野】
本発明は保温容器の吐出機構内に滞留するコーヒー、紅茶等の抽出液を保温維持できる飲料抽出機用の保温容器に関するものである。
【０００２】
【従来の技術】
従来、業務用として用いられる飲料抽出機は、給水タンクと、ヒータを備えた有底筒状の湯沸かしタンクと、給水タンクと湯沸かしタンクとを連結する給水パイプと、コーヒー粉、紅茶葉等をセットするチャンバーと、湯沸かしタンク内の沸騰水をチャンバー上方へ導くを吐出パイプと、チャンバー底面より抽出された抽出液を貯える保温容器と、保温容器を載置し保温容器内の抽出液を保温するウォーマーとを具備し、給水タンクに所望の水を給水すると給水パイプを通じて湯沸かしタンク内に入り、この湯沸かしタンク内の水がヒータにて加熱されて沸騰する。
【０００３】
更に、給水タンクに必要とする所定の水を追加すると給水パイプを通じて湯沸かしタンク内に追加の水が供給され、湯沸かしタンク内でこの追加の水に相当する沸騰水がサイホン現象の働きにて吐出パイプを通じてチャンバー上部へ吐出される。このチャンバーには濾紙を敷いた後、コーヒー粉、紅茶葉等の原料をセットし、このチャンバー上部より吐出された沸騰水は原料と混合し、チャンバー下部より抽出液となって滴下され、保温容器内に溜められる。
【０００４】
この保温容器はチヤンバー下方から抽出された暖かいコーヒー、紅茶等の抽出液を貯える内容器と、内容器内の抽出液を保温する保温ヒータと、内容器底面の下端パイプと連通した電動ポンプ、内容器外側壁に沿って上昇した揚水パイプ、電動ポンプと揚水パイプとを連通したジョイントパイプ、揚水パイプと連通し抽出液を外部へ吐出する吐出パイプを備えた吐出機構と、吐出機構を駆動する駆動手段と、保温ヒータ、駆動手段を操作する電気回路機構とを具備している。
【０００５】
【発明が解決しようとする課題】
ところが、この種の飲料抽出機用の保温容器にあっては、コップ等の受器に注ぎ得る抽出液は最初にジョイントパイプ、揚水パイプ内に溜まっている抽出液であり、この抽出液は保温効果の少ないジョイントパイプ、揚水パイプ特に揚水パイプのために常に冷めた抽出液となっていた。
【０００６】
そのために、コップ等の受器に注ぎ得る最初の一杯目はこの冷めた抽出液が摘出され、保温容器内の抽出液の摘出と混ざり合って生ぬるい温度の抽出液となっていた。従って、最初の一杯目から暖かい温度の抽出液を得ることができないという問題点があった。又、最初の一杯目から時間をかけて二杯目を吐出すると最初の一杯目と同様に生ぬるい温度の抽出液となって、暖かい温度の抽出液を得ることができないという問題点があった。
【０００７】
そこで、本発明はこのような従来の飲料抽出機用の保温容器が有していた課題を解決したものであって、常時味、香りともに飲み心地の良いものであって、しかも保温容器からコップ等の受器に注ぎ得る最初の一杯目の抽出液の摘出であっても暖かく味、香りともに良い温度の抽出液とすると共に一杯目から時間のかかった二杯目であっても、常に暖かく味、香りともに良い温度の抽出液を摘出できることを目的とした飲料抽出機用の保温容器を提供するにある。
【０００８】
【課題を解決するための手段】
上記目的を達成するために、本発明の飲料抽出機用の保温容器は、飲料抽出機１の加熱された高温の湯をチヤンバー９内のコーヒー粉、紅茶葉等注いで、チヤンバー下方から抽出された暖かいコーヒー、紅茶等の抽出液を貯える保温容器１１を設け、保温容器に抽出液を貯蔵する内容器１４と、内容器１４内の抽出液を保温する保温ヒータ１５と、内容器１４底面の下端細口筒２２と連通した電動ポンプ２７、内容器１４外側壁に沿って上昇した揚水パイプ２８、電動ポンプ２７と揚水パイプ２８とを連通したジョイントパイプ２３、揚水パイプ２８と連通し抽出液を外部へ吐出する吐出パイプ３０を備えた吐出機構２０と、内容器１４内の抽出液量を表示し、吐出機構と別個で内容器と連通する液量表示機構２１と、吐出機構２０を駆動する駆動手段と、保温ヒータ１５、駆動手段を操作する電気回路機構とを具備し、吐出機構２０のジョイントパイプ２３、揚水パイプ２８を断熱材３１にて覆うと共に揚水パイプ２８を銀蒸着して内容器１４外側壁に近接してなる構成としている。
【０００９】
【発明の実施の形態】
以下、本発明の実施例について図に基づき説明する。
図中、図１は本発明実施例の保温容器をセットした状態の飲料抽出機の縦断面図、図２は本発明実施例の保温容器の平面図、図３は本発明実施例の保温容器の吐出機構を示す縦断面図、図４は本発明実施例の保温容器の底面図、図５は本発明実施例の保温容器の液量表示機構を示す縦断面図である。
【００１０】
コーヒー、紅茶等を抽出する飲料抽出機１は特にオフィス等で使用される業務用のものであって、図１に示すように、本体内上部の給水タンク２と、本体内に配置したヒータ３を備えた熱板４と、この熱板４上に載置した湯沸かしタンク５と、湯沸かしタンク５の上端開口を閉鎖する密閉蓋６と、給水タンク２と湯沸かしタンク５とを連結する給水パイプ７と、本体の上端開口を閉鎖する本体用蓋８と、コーヒー粉、紅茶葉等の原料をセットするすりばち状のチャンバー９と、湯沸かしタンク５内の高温水をチャンバー９上方へ導く導水パイプ１０と、コンセントからの電源をコントロールするマイクロコンピュータによる電気回路機構とからなっている。
【００１１】
この飲料抽出機１は前部上方に突出したチャンバー９下方に空間を設け、下端にチャンバー９からの抽出液を収容する保温容器１１の載置場所となる載置部１２を突出している。
この載置部１２保温容器１１の電源供給用のプラグ１３を差し込む保温容器用のコンセントを設けている。
【００１２】
飲料抽出機１は給水タンク２に所定の水を給水すると給水パイプ７を通じて湯沸かしタンク５内に入り、この湯沸かしタンク５内の水をヒータ３にて加熱、沸騰させる。
更に、給水タンク２に所望の水を追加すると給水パイプ７を通じて湯沸かしタンク５内に追加の水が供給される。
【００１３】
この湯沸かしタンク５内で追加の水に相当する高温水がサイホン現象の働きにて導水パイプ１０を通じてチャンバー９上部へ導かれる。このチャンバー９には濾紙を敷いた後、コーヒー粉、紅茶葉等の原料をセットし、このチャンバー９上部より吐出された高温水が原料と混合し、チャンバー９下部より熱い抽出液となって滴下し、保温容器１１内に溜められる。
【００１４】
保温容器１１は図３に示すように、飲料抽出機１のチャンバー９から抽出液を貯える内容器１４と、内容器１４の外壁底部に内容器内の抽出液を保温する保温ヒータ１５と、内容器１４を囲んだ外装ケース１６と、外装ケース１６下端の底部材１８と、外装ケース１６の上端に着脱自在に装着する蓋体１９と、内容器１４の抽出液を外部へ吐出する吐出機構２０と、内容器１４内の抽出液量を表示する液量表示機構２１と、吐出機構２０を駆動する駆動手段と、保温ヒータ１５、吐出機構２０、駆動手段を操作するマイクロコンピュータによる電気回路機構とからなっている。３３はハンドルである。
【００１５】
この飲料抽出機１は保温容器１１が載置部１２にセットされ、保温容器用のコンセントに保温容器のプラグ１３が差し込まれると、業務用のコンセントに差し込まれた飲料抽出機１のプラグより電源の一部が保温容器１１へ入力され保温容器１１のマイクロコンピュータによる電気回路機構の働きにて保温容器１１の保温ヒータ１５に通電し、保温容器１１の内容器１４を加熱して、内容器１４内の抽出液を温める。
【００１６】
この保温容器１１は飲料抽出機１からの抽出液を収容した後であれば、特に飲料抽出機１の載置部１２にセットする必要もなく、又、保温容器１１のプラグ１３を直接家庭用コンセントに差し込んでも何ら支障をきたすものではない。
【００１７】
保温容器１１の内容器１４はガラス製材料にて図３に示すように、有底筒状に形成しており、上端口元を胴体に比べて細口としている。
この内容器１４は図３に示すように、底壁中央に外部と連通する下端細口筒２２を一体成形している。
下端細口筒２２は後述の吐出機構２０の電動ポンプ２７と流水パイプ２９とを介して連通している。
【００１８】
保温容器１１の保温ヒータ１５は薄い平板状に形成しており、中央に四角形状の開口を設けている。
２４は極薄の中空円盤状に形成された耐熱性弾性材であって、保温ヒータ１５と内容器１４との間に張設しており、保温ヒータ１５の上面を内容器１４の底面に押圧して、保温ヒータ１５の熱を内容器１４内の抽出液に確実に送っている。
【００１９】
保温容器１１の外装ケース１６は合成樹脂材料にて前面を内側に窪ませて、略円筒状の胴部と胴部上端の肩部１７とを一体成形している。
外装ケース１６の肩部１７は前方に内部中空の嘴部２５を突設している。
保温容器１１の底部材１８は外装ケース１６の下端を閉鎖しており、内容器１４と底部材１８との間に隙間を設け、この隙間に後述の蓄電池、電気回路機構を備えた配線盤等を配設している。
【００２０】
保温容器１１の蓋体１９はレバー３４操作にて蓋体上端中央を開閉自在としており、飲料抽出機１の載置部１２に保温容器１１が載置され、飲料抽出機１の抽出液を抽出する際に、レバー３４を摺動して蓋体上端中央を開放し、蓋体１９内部を通り内容器１４内と連通してチャンバー９下方から抽出液を直接内容器１４内へ滴下する。滴下終了後レバー３４を逆方向に摺動して蓋体上端中央を閉鎖しておく。２６は外装ケース１６と内容器１４との間に配設し、内容器１４を囲んで内容器１４からの放熱を防ぐ断熱材である。
【００２１】
保温容器１１の吐出機構２０は内容器１４内の抽出液を外部へ送る電動ポンプ２７と、内容器１４の下端細口筒２２と電動ポンプ２７とを連通する流水パイプ２９と、内容器１４の側壁に沿って上昇した揚水パイプ２８と、電動ポンプ２７と揚水パイプ２８とを連通するジョイントパイプ２３と、揚水パイプ２８の先端に後端を接続し、他端を嘴部２５内より下方に向けて突出した吐出パイプ３０と、ジョイントパイプ２３、揚水パイプ２８を覆った断熱材３１と、後述の操作部にあって、電動ポンプ２７をＯＮ，ＯＦＦする吐出スイッチ３２とからなっている。
【００２２】
吐出機構２０の流水パイプ２９は後述の液量表示機構２１の液量表示管と連通する細い枝パイプ３５を設けている。
吐出機構２０の揚水パイプ２８はガラス製の筒管で、表面を銀蒸着しており、図３に示すように、内容器１４の側壁に非常に近接して垂設して、ジョイントパイプ２３と共に断熱材３１にて外面全てが覆われている。この揚水パイプ２８を覆っている断熱材３１は内容器１４の側壁に近接している部分で内容器１４からの熱を受けやすくするために薄肉とし、側壁より離れるに従って揚水パイプ２８からの放熱を防ぐために厚肉に囲っている。
【００２３】
この揚水パイプ２８が内容器１４の側壁に近接することで保温ヒータ１５にて暖められた内容器１４の熱を受け、揚水パイプ２８を暖めることができる。
又、揚水パイプ２８の銀蒸着にて揚水パイプ２８内にある抽出液の放熱を抑えることができる。
更に、断熱材３１にてジョイントパイプ２３、揚水パイプ２８を覆っているので、このジョイントパイプ２３、揚水パイプ２８内にある抽出液の放熱を抑えることができる。
この保温容器１１内の抽出液は、高温とならず味、香りともに飲み心地の良いものである。
【００２４】
吐出機構２０の吐出スイッチ３２嘴部２５の上部表面に設けた操作部３６に配設している。
この操作部３６は電気回路機構につながっており、電動ポンプ２７をＯＮ，ＯＦＦする吐出スイッチ３２、保温ヒータ１５用の点灯ランプ等を配設している。
【００２５】
保温容器１１の駆動手段は電動ポンプ２７を駆動するモータとこのモータを駆動する電源とからなっている。この電源は保温容器１１内に納めた蓄電池３７又は保温ヒータ１５の電源となる飲料抽出機１からの電源あるいは家庭用コンセントからの電源であってもよい。この保温容器１１の蓄電池３７は保温容器１１のマイクロコンピュータによる電気回路機構の働きにて飲料抽出機１からの電源あるいは家庭用コンセントからの電源に通電されて急速充電する。
【００２６】
この蓄電池３７の充電に際しては、飲料抽出機１の給水タンク２に所望の水を追加し、サイホン現象にて湯沸かしタンク５内の追加の水に相当する高温水がチャンバー９内に送られ、抽出液としてチャンバー９下方より滴下する間の約３分〜５分間に充電を完了している。
【００２７】
この蓄電池３７は充電完了すると操作部３６の吐出スイッチ３２のＯＮにて内容器１４内にある抽出液全てを吐出できるに必要な電動ポンプ２７への電力を備えている。本実施例では駆動手段の電源として蓄電池を使用しているが、特にこの蓄電池に限定するものでなく、蓄電池をなくし家庭用コンセントから直接電源を得るようにしても何ら支障をきたすものではない。
３８は内容器１４内の液温を感知してマイクロコンピュータによる電気回路機構に伝え、保温ヒータ１５をＯＮ，ＯＦＦする温度調節器である。
【００２８】
液量表示機構２１は内容器１４外側壁に沿って上昇した液量表示管３９と、液量表示管３９と流水パイプ２９とを連通する液量ジョイントパイプ４０と、液量表示管３９の上端と内容器１４内とを連通する上部ジョイントパイプ４１とからなっている。この液量表示管３９は外装ケース１６の前面上下方向に設けた切り欠きに透明板を貼った透明部より目視可能としている。
【００２９】
上部ジョイントパイプ４１は液量表示管３９の内径よりも小さい内径であって、液量表示管３９上部の内部空気を排出可能としている。
液量ジョイントパイプ４０は吐出機構２０の電動ポンプ２７の上方で流水パイプ２９の枝パイプ３５と連通しているので、電動ポンプ２７の水圧を受けることがないために、液量表示管３９内の液面が大きく上下動することなく、容易に見やすく液量を確認することができる。
【００３０】
以上本発明の代表例と思われる実施例について説明したが、本発明は必ずしもこれらの実施例構造のみに限定されるものではなく、例えば電動式電気ポット等であっても、本発明にいう前記の構成要件を備え、かつ本発明にいう目的を達成し、以下にいう効果を有する範囲内において適宜改変して実施することができるものである。
【００３１】
【発明の効果】
以上の説明から既に明らかなように、本発明にいうところの飲料抽出機用の保温容器は、飲料抽出機の加熱された高温の湯をチヤンバー内のコーヒー粉、紅茶葉等注いで、チヤンバー下方から抽出された暖かいコーヒー、紅茶等の抽出液を貯える保温容器を設け、保温容器に抽出液を貯蔵する内容器と、内容器内の抽出液を保温する保温ヒータと、内容器底面の下端細口筒と連通した電動ポンプ、内容器外側壁に沿って上昇した揚水パイプ、電動ポンプと揚水パイプとを連通したジョイントパイプ、揚水パイプと連通し抽出液を外部へ吐出する吐出パイプを備えた吐出機構と、内容器内の抽出液量を表示し、吐出機構と別個で内容器と連通する液量表示機構と、吐出機構を駆動する駆動手段と、保温ヒータ、駆動手段を操作する電気回路機構とを具備し、吐出機構のジョイントパイプ、揚水パイプを断熱材にて覆うと共に揚水パイプを銀蒸着して内容器外側壁に近接してなる構成としているので、常時味、香りともに飲み心地の良いものであって、しかも保温容器からコップ等の受器に注ぎ得る最初の一杯目の抽出液の摘出であっても暖かく味、香りともに良い温度の抽出液とすると共に一杯目から時間のかかった二杯目であっても、常に暖かく味、香りともに良い温度の抽出液を摘出できるという顕著な効果を期待することが出来るに至ったのである。
【図面の簡単な説明】
【図１】本発明実施例の保温容器をセットした状態の飲料抽出機の縦断面図。
【図２】本発明実施例の保温容器の平面図。
【図３】本発明実施例の保温容器の吐出機構を示す縦断面図。
【図４】本発明実施例の保温容器の底面図。
【図５】本発明実施例の保温容器の液量表示機構を示す縦断面図。
【符号の説明】
１…飲料抽出機
９…チャンバー
１１…保温容器
１４…内容器
１５…保温ヒータ
２０…吐出機構
２１…液量表示機構
２３…ジョイントパイプ
２７…電動ポンプ
２８…揚水パイプ
２９…流水パイプ
３０…吐出パイプ
３１…断熱材
【図１】
0003708846.tif 000002
【図２】
0003708846.tif 000003
【図３】
0003708846.tif 000004
【図４】
0003708846.tif 000005
【図５】
0003708846.tif 000006